【手続補正書】
【提出日】平成28年2月16日(2016.2.16)
【手続補正１】
【補正対象書類名】特許請求の範囲
【補正対象項目名】請求項３
【補正方法】変更
【補正の内容】
【請求項３】
前記吸収体は、前記下方部分の下方において互いに並行して前記長さ方向へ延びる複数の条溝を有し、前記条溝が前記長さ方向に直交する幅方向の寸法を二等分する中心線に関して対称となるように形成されている請求項１または２記載のおむつ。
【手続補正２】
【補正対象書類名】特許請求の範囲
【補正対象項目名】請求項５
【補正方法】変更
【補正の内容】
【請求項５】
前記吸収体は、体液吸収性の芯材を透水性のラッピングシートで被覆することにより形成されていて、前記幅方向では、前記条溝どうしの間において前記ラッピングシートどうしが重なり合っている請求項３または４記載のおむつ。
【手続補正３】
【補正対象書類名】特許請求の範囲
【補正対象項目名】請求項６
【補正方法】変更
【補正の内容】
【請求項６】
前記胴回り被覆部材および前記股下部材は、前記胴回り被覆部材における前記弾性域よりも下方に、前記周方向へ延びる前記弾性部材を含むことのないものである請求項１−５のいずれかに記載のおむつ。
【手続補正４】
【補正対象書類名】明細書
【補正対象項目名】００１９
【補正方法】変更
【補正の内容】
【００１９】
図３において、線Ｓ４は図２の伸展おむつ２０における前後方向の寸法を二等分する中心線Ｑに一致している。股下部材２における体液吸収部３１は、少なくとも粉砕パルプと高吸水性ポリマー粒子とを含む吸水性材料の集合体である芯材４１および芯材４１を被覆する透水性のラッピングシート４２によって形成される吸収体４０と、ラッピングシート４２を介して芯材４１の内面側を被覆している透水性の表面シート４３と、ラッピングシート４２を介して芯材４１の外面側を被覆している不透水性の裏面シート４４とを有する。表面シート４３と裏面シート４４とは、吸収体４０に対する被覆シートを形成している。その被覆シートのうちの裏面シート４４はまた、図３の塗布域７３において胴回り被覆部材１に接合し、前後方向Ｚの両端部は股下部材２の前後端部２６，２７それぞれの下方部分２６ｂ，２７ｂに隣接している。芯材４１は、それが軽失禁用のものであって粉砕パルプと高吸水性ポリマー粒子とで形成される場合、単位面積当たりの質量が３００−６００ｇ／ｍ２の範囲にあって、パルプの量が６０−４０重量％の範囲にあり、高吸水性ポリマー粒子の量が４０−６０重量％の範囲にあることが好ましい。具体的な一例として、３００ｇ／ｍ２のパルプと２００ｇ／ｍ２の高吸水性ポリマー粒子とが、均一に混合された状態や互いに重なり合った層を形成した状態で使用することができる他に、芯材４１の横方向Ｘや前後方向Ｚにおいて高吸水性ポリマー粒子の分布量が異なる状態で使用することもできる。例えば、高吸水性ポリマー粒子を芯材４１の横方向Ｘにおける中央部には２５０ｇ／ｍ２の割合で使用し、両側部では４５ｇ／ｍ２の割合で使用することができる。高吸水性ポリマー粒子には、当該技術分野において慣用のもの、例えばデンプン−アクリロニトリル共重合体の加水分解物等を使用することができる。芯材４１はまた、吸水性材料を空気流を利用して混合し所要形状の型の内部に堆積させることによって成形したものを使用することができる他に、堆積させたものに散水してからそれを加圧圧縮して使用することもできる。
【手続補正５】
【補正対象書類名】明細書
【補正対象項目名】００２８
【補正方法】変更
【補正の内容】
【００２８】
図８は、図２の線Ｓ０に沿う体液吸収部３１の切断面を示す図であり、線Ｓ０は図２の中心線Ｐに一致している。図８にはまた、胴回り被覆部材１において、線Ｓ０に沿って観察される塗布域７１，７３，７４と非塗布域７６，７８とが示されている。体液吸収部３１では、ラッピングシート４２とカバーシート４５と表面シート４３と裏面シート４４とが芯材４１から延出し、互いに重なり合うものどうしがホットメルト接着剤ＨＡを介して接合している。吸収体４０に対する被覆シートである表面シート４３と裏面シート４４とは、芯材４１からの延出部が股下部材２の前端部分２６と後端部分２７とにおける上方部分２６ａ，２７ａを形成している。互いに接合している中央外装シート１８と前方外装シート１６とは塗布域７１において股下部材２に接合し、互いに接合している中央外装シート１８と後方外装シート１７とは塗布域７４において股下部材２と接合している。前方外装シート１６が中央外装シート１８から延出する部分１６ａと後方外装シート１７が中央外装シート１８から延出する部分１７ａとは、中央外装シート１８の縁部に沿って折り返されて中央外装シート１８と股下部材２とに重なるとともにホットメルト接着剤（図示せず）を介して接合している。前方外装シート１６と後方外装シート１７とは、そのように折り返されることによっておむつ１０の胴回り開口１２の頂縁部３ａ，４ａを形成している（図１参照）。重なり合う中央外装シート１８と前方外装シート１６との間、および重なり合う中央外装シート１８と後方外装シート１７との間には、前方胴回り弾性部材２１と後方胴回り弾性部材２２とが介在している。これら両弾性部材２１，２２の好ましい一例においては、６２０ｄｔｅｘのライクラ（登録商標）４．５Ｋ  ＣＩＳが１．５−３倍の伸長倍率で使用される。両弾性部材２１，２２のさらに好ましい一例においては、両弾性部材２１，２２の伸長倍率が頂縁部３ａ，４ａから股下部５に向かって段階的に小さくなる態様にある。そのような態様で使用される両弾性部材２１，２２、特に前方胴回り弾性部材２１は、股下部材２における横方向Ｘの中央部分を男性器の収容が容易となるように突出させるように作用する。
【手続補正６】
【補正対象書類名】明細書
【補正対象項目名】００３２
【補正方法】変更
【補正の内容】
【００３２】
これまでの段落で開示したこの発明に係る使い捨てのパンツ型おむつは、少なくとも下記の実施の形態を含み、それらの形態は、分離または互いに組み合わせて採択することができる。
（１）前記下方部分は、前記胴回り被覆部材の前記周方向において対向する両側縁部を有し、前記両側縁部それぞれの一部分が前記弾性域に接合している。
（２）前記吸収体は、前記下方部分の下方において互いに並行して前記長さ方向へ延びる複数の条溝を有し、前記条溝が前記長さ方向に直交する幅方向の寸法を二等分する中心線に関して対称となるように形成されている。
（３）前記股下部材には、前記股下部材の両側それぞれに、近位縁部と遠位縁部とを有していて前記長さ方向へ延びる防漏カフ部が形成され、前記遠位縁部は前記長さ方向においての弾性的な伸長と収縮とが可能に形成されていて前記長さ方向における一端部が前記下方部分に位置している。
（４）前記吸収体は、体液吸収性の芯材を透水性のラッピングシートで被覆することにより形成されていて、前記幅方向では、前記条溝どうしの間において前記ラッピングシートどうしが重なり合っている。
（５）前記胴回り被覆部材および前記股下部材は、前記胴回り被覆部材における前記弾性域よりも下方に、前記周方向へ延びる前記弾性部材を含むことのないものである。
【手続補正７】
【補正対象書類名】明細書
【補正対象項目名】００３３
【補正方法】変更
【補正の内容】
【００３３】
１    胴回り被覆部材
２    股下部材
３    前胴回り部
４    後胴回り部
５    股下部
１０    使い捨てのパンツ型おむつ
２１    弾性部材
２２    弾性部材
２６    前端部分
２６ａ  上方部分
２６ｂ  下方部分
２７    後端部分
３１    体液吸収部
３２    防漏カフ部
３３    近位縁部
３４    遠位縁部
４０    吸収体
４１    芯材
４２    ラッピングシート
４３    表面シート
４４    裏面シート
６１    圧搾条溝（条溝）
Ｐ      中心線